(57)【要約】      （修正有）【課題】ねじ磁気吸着器を提供する。【解決手段】主にスリーブ部材３０及び２つの磁気素子４０で構成される。ドライバーヘッドがスリーブ部材の着磁孔３２に挿着されると、磁気素子が着磁位置に位置され、磁気素子の着磁部４１がドライバーヘッドの外表面に吸着され、ドライバーヘッドが前記２つの磁気素子が同極性であるため相対的に着磁され、ドライバーヘッドが前記着磁孔に挿着されない場合、磁気素子が前記解除位置に位置され、磁気素子の着磁部が互いに反発し、磁気素子の消磁部４２が嵌挿溝３１の溝の底面３１２に当接されることを特徴とし、ねじを締めるまたは緩める過程において、使用者が静止させてドライバーヘッドをスリーブ部材の中央に位置するように調整せずとも、ドライバーヘッドがスリーブ部材に精確に中央に挿設される。【選択図】図２
0003225408.tif 000002
【実用新案登録請求の範囲】
【請求項１】
ドライバーヘッドに適用されるねじ磁気吸着器であって、
スリーブ部材であって、対応する２つの嵌挿溝及び前記スリーブ部材を貫通すると共に前記２つの嵌挿溝に連通される着磁孔を有し、各前記嵌挿溝は２つのストッパー及び溝の底面を有するスリーブ部材と、
同極性で前記２つの嵌挿溝に対応するようにそれぞれ内設され、着磁部及び前記着磁部に連接される消磁部を各々有し、且つ着磁位置と解除位置との間で各々移動を行う２つの磁気素子であって、前記ドライバーヘッドが前記着磁孔に挿着されると、各前記磁気素子は前記着磁位置に位置され、各前記磁気素子の消磁部が各前記嵌挿溝の２つのストッパーに当接されると共に各前記磁気素子の着磁部が前記ドライバーヘッドの外面に同期で吸着され、前記ドライバーヘッドが前記２つの磁気素子が同極性であるため相対的に着磁され、前記ドライバーヘッドが前記着磁孔に挿着されない場合、各前記磁気素子は前記解除位置に位置され、各前記磁気素子の着磁部が互いに反発し、各前記磁気素子の消磁部が各前記嵌挿溝の溝の底面に当接される２つの磁気素子と、を備えることを特徴とする、
ねじ磁気吸着器。
【請求項２】
各前記磁気素子が前記着磁位置にある場合、各前記磁気素子の消磁部と前記各前記嵌挿溝の溝の底面との間に距離が空き、且つ各前記磁気素子の着磁部が前記嵌挿溝から前記着磁孔に移動することを特徴とする請求項１に記載のねじ磁気吸着器。
【請求項３】
前記ねじ磁気吸着器は、２つのボス及び前記着磁孔に対応する対応する穴を有するエンドキャップを更に備え、前記スリーブ部材は前記エンドキャップを当接させるための端面及び前記端面に凹設されると共に前記２つのボスを嵌合させるための２つの嵌着溝を有することを特徴とする請求項１に記載のねじ磁気吸着器。
【請求項４】
前記スリーブ部材は前記２つの嵌挿溝の溝の底面にそれぞれ対応する２つの消磁面を有し、前記ドライバーヘッドは前記消磁面が往復スライドすると、前記ドライバーヘッドの磁力が消除されることを特徴とする請求項１に記載のねじ磁気吸着器。
【考案の詳細な説明】
【技術分野】
【０００１】
本考案は、ねじ磁気吸着器に関し、より詳しくは、ドライバーヘッドを中央に挿着させて作動不良を起こしにくいねじ磁気吸着器に関する。
【背景技術】
【０００２】
図１は従来のねじ磁気吸着器の使用状態の概略図である。
【考案の概要】
【考案が解決しようとする課題】
【０００３】
しかしながら、従来の磁気吸着器２は非常に使いにくく、ドライバーヘッド１を磁気吸着器２に挿着する場合、ドライバーヘッド１が磁気吸着器２内部の１つの磁気素子３にのみ吸着されるため、ドライバーヘッド１中段の部位が磁気吸着器２の後端に引っかかるほか、ドライバーヘッド１も磁気吸着器２の中央に挿着されず、ドライバーヘッド１を磁気吸着器２にスムーズに挿着できなかった。深い位置に螺着されたねじに使用する場合、ドライバーヘッド１の挿着端がねじの頭部に接触できず、ねじを締めたり緩めたりできないという問題があった。
【０００４】
そこで、本考案者は上記の欠点が改善可能と考え、鋭意検討を重ねた結果、合理的設計で上記の課題を効果的に改善する本考案の提案に到った。
【０００５】
本考案は、このような従来の問題に鑑みてなされたものである。上記課題解決のため、本考案は、主にドライバーヘッドを中央に挿着させて作動不良を起こしにくくするねじ磁気吸着器を提供することを目的とする。
【課題を解決するための手段】
【０００６】
上記課題を解決するために、本考案の一態様のねじ磁気吸着器は、ドライバーヘッドに適用され、スリーブ部材であって、対応する２つの嵌挿溝及び前記スリーブ部材を貫通すると共に前記２つの嵌挿溝に連通される着磁孔を有し、各前記嵌挿溝は２つのストッパー及び溝の底面を有することと、同極性で前記２つの嵌挿溝に対応するようにそれぞれ内設され、着磁部及び前記着磁部に連接される消磁部を各々有し、且つ着磁位置と解除位置との間で各々移動を行う２つの磁気素子であって、前記ドライバーヘッドが前記着磁孔に挿着されると、各前記磁気素子は前記着磁位置に位置され、各前記磁気素子の消磁部が各前記嵌挿溝の２つのストッパーに当接されると共に各前記磁気素子の着磁部が前記ドライバーヘッドの外面に同期で吸着され、前記ドライバーヘッドが前記２つの磁気素子が同極性であるため相対的に着磁され、前記ドライバーヘッドが前記着磁孔に挿着されない場合、各前記磁気素子は前記解除位置に位置され、各前記磁気素子の着磁部が互いに反発し、各前記磁気素子の消磁部が各前記嵌挿溝の溝の底面に当接されることと、を備える。
【考案の効果】
【０００７】
本考案によれば、ねじを締める過程または緩める過程において、使用者が前記ドライバーヘッドを静止させて前記スリーブ部材の中央に位置するように調整せずとも、前記ドライバーヘッドが前記スリーブ部材に精確に中央に挿設され、作動不良を起こしにくくする目的を達成させる。
【図面の簡単な説明】
【０００８】
【図１】従来のねじ磁気吸着器の使用状態の概略図である。
【図２】本考案の好ましい実施形態に係るねじ磁気吸着器を示す展開図である。
【図３】本考案の好ましい実施形態に係るねじ磁気吸着器を示す組み合わせ斜視図である。
【図４】本考案のねじ磁気吸着器の使用概略図（一）である。
【図５】本考案のねじ磁気吸着器の使用概略図（二）である。
【図６】本考案のねじ磁気吸着器の使用概略図（三）である。
【考案を実施するための形態】
【０００９】
以下、本開示の実施形態について図面を用いて説明する。なお、本開示は、下記の実施形態に何ら限定されることはなく、本開示の技術的範囲に属する限り種々の形態を採りうる。
【００１０】
次に、図２〜６を参照しながら、本考案をさらに詳しく説明する。本考案に係るねじ磁気吸着器はドライバーヘッド２０に適用され、スリーブ部材３０、２つの磁気素子４０、及びエンドキャップ５０で構成される。
【００１１】
前記スリーブ部材３０は中空の細長い形状を呈すると共にプラスチック材質で製造され、且つ対向しあう２つの嵌挿溝３１と、前記スリーブ部材３０を貫通すると共に前記２つの嵌挿溝３１に連通される着磁孔３２と、一端に位置される端面３３と、前記端面３３に凹設される２つの嵌着溝３４と、を有する。前記２つの嵌挿溝３１は前記着磁孔３２の両側に位置され、各前記嵌挿溝３１は同じ構造の２つのストッパー３１１及び溝の底面３１２を有し、前記スリーブ部材３０は外面に設置されると共に前記２つの嵌挿溝３１の溝の底面３１２に対応する２つの消磁面３５を更に含む。
【００１２】
前記２つの磁気素子４０は、同極性であり、前記スリーブ部材３０の２つの嵌挿溝３１内に対応するようにそれぞれ設置され、各前記磁気素子４０は前記着磁孔３２に対向する着磁部４１及び前記着磁部４１に連接されると共に常態では前記溝の底面３１２に当接される消磁部４２を有する。前記消磁部４２の長さ４２１は前記着磁部４１の長さ４１１より長く、各前記磁気素子４０が着磁位置Ｐ１と解除位置Ｐ２との間で移動可能である。
前記ドライバーヘッド２０が前記スリーブ部材３０の着磁孔３２に挿着される場合、各前記磁気素子４０が前記着磁位置Ｐ１に位置され、各前記磁気素子４０の消磁部４２が各前記嵌挿溝３１の２つのストッパー３１１に当接されると共に各前記磁気素子４０の着磁部４１が前記ドライバーヘッド２０の外面に同期で吸着され、前記ドライバーヘッド２０が前記２つの磁気素子４０が同極性であるために相対的に着磁される。前記ドライバーヘッド２０が前記スリーブ部材３０の着磁孔３２に挿着されない場合、各前記磁気素子４０が前記解除位置Ｐ２に位置され、各前記磁気素子４０の着磁部４１が互いに反発し、各前記磁気素子４０の消磁部４２が各前記嵌挿溝３１の溝の底面３１２に当接される。
【００１３】
前記エンドキャップ５０は、前記スリーブ部材３０及び前記２つの磁気素子４０の一端に当接され、且つ前記２つの嵌着溝にそれぞれ嵌合される２つのボス５１及び前記スリーブ部材３０の着磁孔３２に対応する対応する穴５２を有する。前記エンドキャップ５０の配置により、前記２つの磁気素子４０が前記２つの嵌挿溝３１から脱離しなくなる。
【００１４】
図４に示されるように、前記ねじ磁気吸着器は常態では、前記２つの磁気素子４０が同じ磁性で対向しあうために互いに反発しあい、各前記磁気素子４０が共に前記解除位置Ｐ２に位置されると共に各前記磁気素子４０の消磁部４２が共に前記嵌挿溝３１の溝の底面３１２に当接される。なお、図５に示されるように、前記ドライバーヘッド２０が前記スリーブ部材３０の着磁孔３２に挿着される場合、各前記磁気素子４０が前記解除位置Ｐ２から前記着磁位置Ｐ１に向けて移動し、各前記磁気素子４０の消磁部４２と前記各前記嵌挿溝３１の溝の底面３１２との間が距離Ｌを空け、各前記磁気素子４０の消磁部４２が各前記嵌挿溝３１の２つのストッパー３１１に当接されると共に各前記磁気素子４０の着磁部４１が前記嵌挿溝３１から前記着磁孔３２に移動して前記ドライバーヘッド２０の外面に吸着され、前記ドライバーヘッド２０が前記スリーブ部材３０の着磁孔３２の中央に位置されると共に前記スリーブ部材３０の着磁孔３２にスムーズに挿着される。
ねじを締めたり緩める過程において、使用者は前記ドライバーヘッド２０を静止させて前記スリーブ部材３０の着磁孔３２の中央に位置するように調整せずともよく、前記ドライバーヘッド２０が前記スリーブ部材３０に引っかかって作動不良を起こさないようにする目的も達成させる。さらには、前記ドライバーヘッド２０は前記２つの磁気素子４０が同極性であるために相対的に着磁されることにより、ねじを締めたり緩める過程において、ねじが前記ドライバーヘッド２０から脱落せず、ねじが外れるリスクが低下し、作業時間も短縮され、利便性が向上し、ロック効率が高まり、作業の安全性も高まる。
【００１５】
また、図６に示されるように、前記ドライバーヘッド２０を使用していない場合、使用者は前記ドライバーヘッド２０を前記スリーブ部材３０の消磁面３５で上下に往復滑スライドさせるのみで、磁力の作用を消除することが可能である。
【００１６】
上述した実施形態は、本考案が属する技術分野における通常の知識を有する者が本考案を実施することを目的として記載されたものである。上記実施形態の種々の変形例は、当業者であれば当然になしうることであり、本考案の技術的思想は他の実施形態にも適用しうる。したがって、本考案は、記載された実施形態に限定されることはなく、実用新案登録請求の範囲によって定義される技術的思想に従った最も広い範囲に解釈されるものである。
【符号の説明】
【００１７】
１  ドライバーヘッド
２  磁気吸着器
３  磁気素子
Ｐ１  着磁位置
Ｐ２  解除位置
Ｌ  距離
２０  ドライバーヘッド
３０  スリーブ部材
３１  嵌挿溝
３１１  ストッパー
３１２  溝の底面
３２  着磁孔
３３  端面
３４  嵌着溝
３５  消磁面
４０  磁気素子
４１  着磁部
４１１  長さ
４２  消磁部
４２１  長さ
５０  エンドキャップ
５１  ボス
５２  対応する穴
【図１】
0003225408.tif 000003
【図２】
0003225408.tif 000004
【図３】
0003225408.tif 000005
【図４】
0003225408.tif 000006
【図５】
0003225408.tif 000007
【図６】
0003225408.tif 000008